(57)【要約】【課題】隠し表示を備えたコースターを簡素な工程をもって低廉に供給できるようにする。【解決手段】それぞれコースター原紙１よりなる表シート１０と裏シート１１とを接着貼り合わせてなると共に、表シート１０及び裏シート１１のいずれか一方には、断続的に施された切り込みによって形成される区分線４によって区分された区分部５が形成されており、この区分部５の内面５ａと、この区分部５の内面５ａに向き合った表シート１０及び裏シート１１の他方の内面（１０ａ又は１１ａ）とが、印刷による文字や模様などの隠し表示２の表示可能部３とされていると共に、これらの内面５ａ、１０ａ、１１ａの双方又はいずれか一方に塗布された剥離ニス６により両内面（５ａと１０ａ又は１１ａ）が非接着となっている。【選択図】図５
2009056122.tif 000002
【特許請求の範囲】
【請求項１】
それぞれコースター原紙よりなる表シートと裏シートとを接着貼り合わせてなると共に、
表シート及び裏シートのいずれか一方には、断続的に施された切り込みによって形成される区分線によって区分された区分部が形成されており、
この区分部の内面と、この区分部の内面に向き合った表シート及び裏シートの他方の内面とが、印刷による文字や模様などの隠し表示の表示可能部とされていると共に、
これらの内面の双方又はいずれか一方に塗布された剥離ニスにより両内面が非接着となっていることを特徴とするコースター。
【発明の詳細な説明】
【技術分野】
【０００１】
この発明は、隠し表示の表示可能部を備えており、捲りないしは切り取り可能に構成されたコースターの一部を捲りないしは切り取ることで、この隠し表示の有無ないしは内容を認識できるようにしたコースターの改良に関する。
【背景技術】
【０００２】
印刷された当落表示などを剥離シートによって覆い隠してなるコースターがある。また、接着面に当落表示などを印刷した剥離シートを貼り付けてなるコースターがある。これらのコースターにあっては、かかる剥離シートをはぎ取ることで当落表示などの認識が可能とされる。しかるに、これらのコースターを製造するにあっては、コースター原紙に対する印刷と打ち抜きによるコースターの主体の製造工程に加えて、別途用意した前記剥離シートをこのコースターの主体に貼り込む工程を必要とするところであり、この種のコースターをより簡素な工程をもって低廉に供給することが求められていた。
【発明の開示】
【発明が解決しようとする課題】
【０００３】
この発明が解決しようとする主たる問題点は、この種のコースターを簡素な工程をもって低廉に供給できるようにする点にある。
【課題を解決するための手段】
【０００４】
前記課題を達成するために、この発明にあっては、コースターを、それぞれコースター原紙よりなる表シートと裏シートとを接着貼り合わせてなると共に、
表シート及び裏シートのいずれか一方には、断続的に施された切り込みによって形成される区分線によって区分された区分部が形成されており、
この区分部の内面と、この区分部の内面に向き合った表シート及び裏シートの他方の内面とが、印刷による文字や模様などの隠し表示の表示可能部とされていると共に、
これらの内面の双方又はいずれか一方に塗布された剥離ニスにより両内面が非接着となっているものとした。
【０００５】
かかる構成によれば、コースター原紙の一面（表シート及び裏シートの外面となる側の面）への印刷（必要な場合）と、コースター原紙の他面（表シート及び裏シートの内面となる側の面）への隠し表示の印刷と剥離ニスの塗布及びミシン加工による区分部の形成と、このように加工されたコースター原紙の合紙と、合紙されたコースター原紙からの抜型による打ち抜きによって、区分部を捲りないしは切り取ることで隠し表示の有無ないし内容を認識可能なコースターを、生成工程の複雑化を生じさせることなく、かつ、コースター原紙以外のシート状材料を利用することなく、適切に構成させることができる。すなわち、オフセット印刷機などにより隠し表示の印刷に連続して行うことができる剥離ニスの塗布によって合紙時に塗布される接着剤が区分部の接着に作用されないようにすることができる。
【発明の効果】
【０００６】
この発明によれば、隠し表示の表示可能部を備えており、捲りないしは切り取り可能に構成されたコースターの一部を捲りないしは切り取ることで、この隠し表示の有無ないしは内容を認識できるようにしたコースターを簡素な工程をもって低廉に供給することができる。
【発明を実施するための最良の形態】
【０００７】
以下、図１〜図６に基づいて、この発明を実施するための最良の形態について説明する。
【０００８】
なお、ここで図１〜図３は実施の形態にかかるコースターＣを生成する各工程の理解をしやすいように示したものであり、図１、図２、図３の順で進行する。具体的には、一枚のコースター原紙１の一面１ａに印刷を施し、（図１）次いで、このコースター原紙１の他面１ｂに印刷と剥離ニス６の塗布とを行い、（図２）コースターＣの表シート１０となる側に区分部５を形成させ（図３）、この後にコースター原紙１を二つ折りにして合紙し、打ち抜くことで一枚のコースター原紙１から複数のコースターＣ、Ｃ…が生成される。図４〜図６はこのように生成されたコースターＣをそれぞれ示しており、特に図６は区分部５を捲って隠し表示２を視認可能にさせた状態を示している。
【０００９】
この実施の形態にかかるコースターＣは、コースター原紙１よりなると共に、隠し表示２の表示可能部３を備えており、捲りないしは切り取り可能に構成されたコースターＣの一部を捲りないしは切り取ることで、この隠し表示２の有無ないしは内容を認識できるようにしたものである。
【００１０】
かかるコースターＣは、典型的には、テーブルに敷かれてその上にグラスやジョッキなどの食器の底を載せおいて用いられる。コースター原紙１は吸水性を有し、こうした食器の外面に結露により生じる水や食器からあふれるなどした飲料などを受け吸い取り、これらの水などによってテーブル面ができるだけ濡れないようにする。
【００１１】
前記隠し表示２としては、典型的には、当落表示（例えば、「当たり」や「はずれ」の文字、「もう一杯」の文字）、割引表示（例えば、「半額」の文字）、特定のＷｅｂサイトの入力欄に入力して利用されるシリアルナンバーや、ＱＲコードなどのカメラ付き携帯電話のカメラなどにより読み取り可能とされる二次元コードなど、前記捲りないしは切り取りによって認識可能となったときにコースターＣの所有ないしは占有者に一定の利益や情報をもたらすものが予定される。
【００１２】
かかるコースターＣは、それぞれコースター原紙１よりなる表シート１０と裏シート１１とを接着により貼り合わせてなる。コースター原紙１は典型的には厚さ０．５ｍｍ〜１ｍｍの範囲のものとされ、したがってコースターＣはコースター原紙１のおおむね二倍の厚さを備えることとなる。コースターＣは後述するように所望の印刷などを施されたコースター原紙１を合紙した後にその所定の箇所を抜型により打ち抜くことで生成される。コースターＣの輪郭形状は典型的には円形や方形である。
【００１３】
かかる表シート１０及び裏シート１１のいずれか一方には、断続的に施された切り込み（切れ目）によって形成される区分線４（ミシン目）によって区分された区分部５が形成されている。この区分部５においては後述するように表シート１０と裏シート１１と非接着になっている。
【００１４】
図示の例では、区分線４は周回状をなすように形成され略卵形の区分部５を形成させている。また、表シート１０の略中央にのみ形成されている。
【００１５】
区分線４の隣り合う切れ目間のピッチ（つなぎ目）を容易に分離可能に小さくさせておけば切れ目に爪を引っかけるなどしてこの区分線４の箇所で区分線４に沿って区分部５を切り取り分離させることができる。
【００１６】
区分線４の一部はつなぎ目のピッチを大きくさせ、その余の部分はつなぎ目のピッチを容易に分離可能に小さくさせておけば、つなぎ目のピッチを大きくさせた部分を折り目として区分部５を捲ることが可能とされる。
【００１７】
かかる区分部５の内面と、この区分部５の内面５ａに向き合った表シート１０及び裏シート１１の他方の内面（１０ａ又は１１ａ）が、印刷による文字や模様などの隠し表示２の表示可能部３とされている。
【００１８】
図示の例では、区分部５は表シート１０に形成されていることから、この区分部５の内面５ａと、この区分部５の内面５ａに向き合った裏シート１１の内面１１ａが前記隠し表示２の表示可能部３となっている。区分部５を切り取り可能にしておきこの区分部５に隠し表示２を印刷しておけば切り取った区分部５のみを当選の申告などに利用することができる。また、隠し表示２の表示可能部３に隠し表示２を印刷しないことで、この表示可能部３によって消極的な意思伝達が可能となる。（例えば落選）
【００１９】
そして、かかる隠し表示２の表示可能部３とされる区分部５の内面５ａとこの区分部５の内面５ａに向き合った表シート１０及び裏シート１１の他方の内面（１０ａ又は１１ａ）は、これらの内面５ａ、１０ａ、１１ａの双方又はいずれか一方に塗布された剥離ニス６により非接着となっている。これにより、区分部５の前記捲りないしは切り取りが可能とされる。
【００２０】
この実施の形態にかかるコースターＣは、かかる構成を備えることから、コースター原紙１の一面１ａへの印刷（必要な場合）と、コースター原紙１の他面１ｂへの隠し表示２の印刷と剥離ニス６の塗布及びミシン加工による区分部５の形成と、このように加工されたコースター原紙１の二つ折りによる合紙と、合紙されたコースター原紙１からの抜型による打ち抜きによって、区分部５を捲りないしは切り取ることで隠し表示２の有無ないし内容を認識可能なコースターＣを、生成工程の複雑化を生じさせることなく、かつ、コースター原紙１以外のシート状材料を利用することなく、適切に構成させることができる。すなわち、オフセット印刷機などにより隠し表示２の印刷に連続して行うことができる剥離ニス６の塗布によって合紙時に塗布される接着剤が区分部５の接着に作用されないようにすることができる。
【００２１】
具体的には、一度に生成するコースターＣの数に応じた面積の二倍以上の大きさを備えたコースター原紙１を用意し、必要な場合、そのコースター原紙１の一面１ａの半分に各コースターＣの表面の図柄８などを、残りの半分に各コースターＣの裏面の図柄９などを印刷する。（図１）無地のコースターＣを生成する場合にはこの印刷は不要となる。ある一つのコースターＣの表面の図柄８と裏面の図柄９とは、コースター原紙１をその他面１ｂを内側にしてこのコースター原紙１を二つ折りしたときに重なり合うこの折り線１ｃを中心とした線対称の位置に印刷される。
【００２２】
また、印刷される図柄は抜型によって打ち抜かれるコースターＣの外径よりやや大きく印刷させておく。
【００２３】
次いで、コースター原紙１の他面１ｂであって区分部５となる箇所、または、コースター原紙１を二つ折りして合紙したときに区分部５に向き合う箇所、またはこれらの箇所の双方に、（つまり前記表示可能部３）隠し表示２を印刷する場合には印刷すると共に、剥離ニス６を塗布する。（図２）剥離ニス６は合紙時の接着剤を十分にはじかせる観点からはこれらの箇所の双方に塗布することが好ましい。
【００２４】
次いで、コースター原紙１の前記折り線１ｃとなる位置を挟んだ一方側に生成される各コースターＣに対応した区分線４をミシン加工により施し区分部５を形成させる。（図３）このとき同時に前記折り線１ｃとなる位置にもミシン目を施し前記二つ折りを容易に行えるようにしておく。
【００２５】
次いで、コースター原紙１の他面１ｂに接着剤７を塗布し、前記折り線１ｃを中心に二つ折りして貼り合わせ合紙する。コースター原紙１は吸水性があることから接着剤７の塗布により紙伸びを生じる場合があるが、一枚のコースター原紙１の他面１ｂの全体に接着剤７を塗布しての二つ折り合紙においてはコースター原紙１は全体に均一に伸びることから、区分部５の内面には正確に剥離ニス６の塗布箇所が向き合い、こうした紙伸びから生成されたコースターＣの区分部５が接着されてしまうことはない。
【００２６】
最後に、合紙されたコースター原紙１の各コースターＣとなる箇所を抜型により打ち抜くことで、区分部５の捲りないし切り取り可能なコースターＣを一度に複数枚生成する。
【図面の簡単な説明】
【００２７】
【図１】コースター原紙１の一面１ａに印刷をした状態を示した平面構成図
【図２】コースター原紙１の他面１ｂに印刷と塗布とをした状態を示した平面構成図
【図３】コースター原紙１の一面１ａに区分部５を形成させた状態を示した要部拡大平面構成図（図１の左上隅箇所に相当）
【図４】コースターＣの斜視構成図
【図５】図４におけるＡ−Ａ線断面図
【図６】コースターＣの斜視構成図
【符号の説明】
【００２８】
１  コースター原紙
１０  表シート
１０ａ  内面
１１  裏シート
１１ａ  内面
２  隠し表示
３  表示可能部
４  区分線
５  区分部
５ａ  内面
６  剥離ニス
Ｃ  コースター
【図１】
2009056122.tif 000003
【図２】
2009056122.tif 000004
【図３】
2009056122.tif 000005
【図４】
2009056122.tif 000006
【図５】
2009056122.tif 000007
【図６】
2009056122.tif 000008